(57)【要約】【課題】風量と加湿量が低下することなく加湿部の水の飛散防止を目的とする。【解決手段】吹出口１と側面に吸気口２を有する本体ケース３と、この本体ケース３内に設けた水を飛散させ保水する加湿部４と、送風機５と、加湿部４と吸気口２との間に設けたカバー６を備えている。加湿部４は、吸気口２と送風機５との間の風路に位置し、貯水容器９と、この貯水容器９に水を供給するタンク部１０と貯水容器９内の水に下端が浸漬する回転板１１と、この回転板１１を回転させるモータ部１２と、水を保水する加湿フィルター１４で構成している。カバー６は、パネル部１９と、多数の孔１７を有する格子部２０とを備えたことを特徴としている。【選択図】図２
2018035959.tif 000002
【特許請求の範囲】
【請求項１】
吹出口と側面に吸気口を有する本体ケースと、
前記本体ケース内に設けた水を飛散させ保水する加湿部と、
前記本体ケース外の空気を前記吸気口、前記加湿部、前記吹出口へと送風する送風機と、
前記加湿部と前記吸気口との間に設けたカバーとを備え、
前記カバーは、
パネル部と、
多数の孔を有する格子部とを備えたことを特徴とする加湿装置。
【請求項２】
前記吸気口と前記カバーの前記格子部と前記送風機の吸い込み口は、
一直線上に配置されたことを特徴とする請求項１に記載の加湿装置。
【請求項３】
前記加湿部は、
水を貯水する貯水容器と
前記貯水容器内の水に下端が浸漬する回転板と、
前記回転板を回転させるモータ部と、
水を保水する加湿フィルターとを有し、
前記格子部は前記回転板より上方に位置することを特徴とする請求項１または２に記載の加湿装置。
【請求項４】
前記加湿フィルターは、
前記カバーの前記格子部と前記送風機の吸い込み口との間に配置されたことを特徴とする請求項３に記載の加湿装置。
【請求項５】
前記格子部は、
多数の左右方向に延びた横長板部と、
多数の上下方向に延びた縦板部とを備え、
前記横長板部は、
前記パネル部側から前記吸気口に向かうにつれて下方へ傾斜する構成であることを特徴とする請求項１から４に記載の加湿装置。
【請求項６】
前記回転板から前記パネル部の前記格子部を見ると、
隣り合った前記横長板部の間の前記孔が見えないことを特徴とする請求項５に記載の加湿装置。
【請求項７】
前記カバー下方の前記吸気口側には水受け部を備え、
前記水受け部は前記貯水容器と連通していることを特徴とする請求項３から６のいずれかに記載の加湿装置。
【請求項８】
前記吸気口と前記カバーとの間には、
整流部を設けたことを特徴とする請求項１から７のいずれかに記載の加湿装置。
【発明の詳細な説明】
【技術分野】
【０００１】
本発明は、一般家庭や事務所等で使用される加湿装置に関するものである。
【背景技術】
【０００２】
従来、この種の加湿装置は、吸気口と吹出口を有する本体ケースと、本体ケース内に備えた吸気口と吹出口とを連通する風路と、風路に設けた送風機と、加湿部とを備えている。加湿部は、水を貯水する貯水容器と、回転板と、回転板に給水する給水部を有したものが知られている。（例えば、特許文献１参照）
【先行技術文献】
【特許文献】
【０００３】
【特許文献１】実開昭５８−１０８３２４号公報
【発明の概要】
【発明が解決しようとする課題】
【０００４】
上記従来例の課題は、風量と加湿量が低下することなく、吸気口からの加湿部の水の飛散を防止することである。従来は、吸気口と吹出口を有する本体ケースと、本体ケース内に備えた吸気口と吹出口とを連通する風路と、風路に設けた送風機と加湿部と、加湿部は水を貯水する貯水容器と回転板と回転板と、回転板に給水する給水部から構成されていた。給水部によって給水された水は、回転板により破砕されミスト状に微細化し、周辺空気を加湿し、加湿された空気は吹出口より本体ケースの外へ排出されていた。
【０００５】
ところが、加湿部で破砕された水が吸気口から飛散することを防止するために、気密性を高めたカバーが必要となった。しかし、気密性を高めると十分な風路を確保できず、風量の低下、加湿量が低下する場合があった。また、十分な風路を確保するために気密性を低下させると、加湿部周辺に水が飛散する場合があった。
【０００６】
そこで、本発明は水破砕部を有した加湿部の水の飛散防止を目的とするものである。
【課題を解決するための手段】
【０００７】
そして、この目的を達成するために、本発明は、吹出口と側面に吸気口を有する本体ケースと、前記本体ケース内に設けた水を飛散させ保水する加湿部と、前記本体ケース外の空気を前記吸気口、前記加湿部、前記吹出口へと送風する送風機と、前記加湿部と前記吸気口との間に設けたカバーとを備え、前記カバーは、パネル部と、多数の孔を有する格子部とを備えたことを特徴としたものである。
【０００８】
これにより、所期の目的を達成するものである。
【発明の効果】
【０００９】
以上のように本発明は、吹出口と側面に吸気口を有する本体ケースと、前記本体ケース内に設けた水を飛散させ保水する加湿部と、前記本体ケース外の空気を前記吸気口、前記加湿部、前記吹出口へと送風する送風機と、前記加湿部と前記吸気口との間に設けたカバーとを備え、前記カバーは、パネル部と、多数の孔を有する格子部とを備えている。
【００１０】
以上の構成により、カバーの格子部によって、送風部の風量を低下させることなく吸気口からの水の飛散防止をすることができる。
【図面の簡単な説明】
【００１１】
【図１】本発明の実施の形態の加湿装置の斜視図
【図２】同加湿装置の断面図
【図３】同加湿装置の加湿部の斜視図
【図４】同加湿装置の加湿部の断面図
【図５】同加湿装置の貯水容器の断面図
【発明を実施するための形態】
【００１２】
以下、本発明の実施形態について図面を参照しながら説明する。
（実施の形態）
図１は、本発明の実施の形態の加湿装置の斜視図であり、加湿装置を前面側から見た図である。図２は、本発明の実施の形態の加湿装置の断面図であり、加湿装置を右側から見た図である。
【００１３】
図１および図２に示すように、本実施形態の加湿装置は、略縦長箱形状の本体ケース３と、この本体ケース３内に設けた加湿部４と、送風機５とを備えている。
【００１４】
本体ケース３は、前面側の上部に吹出口１を有し、背面側には吸気口２を備えている。吹出口１には、開閉自在に設けられた風向調整手段７を備えている。風向調整手段７は、上下方向に回動する２枚の風向板である。吸気口２には、着脱可能なグリル８を備えている。グリル８は、多数の開口を有している。本体ケース３内には、本体ケース３の吸気口２から、加湿部４、送風機５を順次介して、吸気口２へ連通する風路３Ａを備えている。
【００１５】
加湿部４は、吸気口２と送風機５との間の風路３Ａに位置し、水を風路３Ａに飛散させる。加湿部４は、貯水容器９と、タンク部１０と、回転板１１と、モータ部１２と、固定刃１３と、加湿フィルター１４とを備えている。
【００１６】
貯水容器９は、上方が開口した椀形状であり、本体ケース３の下部に設けられている。貯水容器９内には、貯水容器９に水を供給するタンク部１０が装着されている。
【００１７】
タンク部１０は、弁機構（図示せず）によって、貯水容器９に一定量の水を供給する。
【００１８】
回転板１１は、上方が開口した略コップ形状であり、底面に複数の孔（図示せず）を有し、側面に複数のスリット（図示せず）を有している。タンク部１０によって供給された貯水容器９内の水に下端が浸漬するように配置され、回転板１１の上方には、回転軸が上下方向に延びたモータ部１２が設けられている。モータ部１２によって、回転板１１が回転すると、貯水容器９内の水が底面の複数の孔から吸い上げられ、側面の複数のスリットから微細な水となり飛散する。回転板１１の外周には、複数の固定刃１３を備えている。
【００１９】
固定刃１３は、略縦長平板形状であり、回転板１１の回転軸に対して放射状に設けられている。回転板１１によって飛散した微細な水の一部は、固定刃１３に衝突し、更に微細な水となり再び飛散する。
【００２０】
加湿フィルター１４は、送風機５の上流側に隣接するように配置されている。つまり、加湿フィルター１４は、加湿部４における最も風下側に配置されている。加湿フィルター１４は、風路３Ａに飛散した微細な水を保水し、加湿された空気を通すものである。加湿フィルター１４の一例は、多数の繊維で作られたメッシュ形状である。
【００２１】
送風機５は、加湿部４と吹出口１の間の風路３Ａに位置し、スクロール形状のケーシング部１５と、このケーシング部１５に固定されたモータ部２５と、このモータ部２５によって回転する羽根部１６とを備えている。ケーシング部１５は、上面には吐出口１５Ａ、側面には吸い込み口１８を備えている。モータ部２５によって羽根部１６が回転すると、本体ケース３外の空気が、本体ケース３の吸気口２から、加湿部４、ケーシング部１５の吸い込み口１８を介して送風機５内に送風され、ケーシング部１５の吐出口１５Ａから吹出口１へ送風される。
【００２２】
モータ部１２によって、回転板１１が回転すると、貯水容器９内の水が微細な水となり、風路３Ａ内に飛散する。この飛散した微細な水の一部は、固定刃１３に衝突し、更に微細な水となり再び飛散する。これらの微細な水は、送風機５によって、加湿フィルター１４へ送風され、加湿フィルター１４が湿った状態となる。送風機５によって加湿部４へ送風された空気は、風路内の微細な水と、加湿フィルター１４とによって加湿された空気となる。
【００２３】
図３は、本発明の実施の形態の加湿装置の加湿部の斜視図であり、加湿装置の背面側から見た図である。図４は、本発明の実施の形態の加湿装置の加湿部の断面図であり、加湿装置の右側から見た図である。
【００２４】
図２、図３および図４に示すように、本実施形態における特徴は、加湿部４と吸気口２との間に設けたカバー６である。カバー６は、略平板形状のパネル部１９と、パネル部１９に設けた縦長四角形状の格子部２０とを備えている。格子部２０は、パネル部１９における中央部に設けられ、加湿部４と吸気口２と連通する多数の孔１７を有する。
【００２５】
以上の構成で、加湿部４の回転板１１が回転することにより、貯水容器９に貯水された水は、回転板１１を中心から外側へ飛散し、固定刃１３に衝突することで破砕され、微細な水となり、周辺空気と接触する。風路の流れに沿って飛散する微細な水は、加湿フィルター１４に吸着される。風路の流れと異なる方向に飛散する微細な水は、パネル部１９、カバー６の格子部２０に衝突し、貯水容器９へ滴下し、再度回転板１１により飛散することを繰り返す。これにより、吸気口２からの微細な水の飛散を抑制することができる。
【００２６】
また、吸気口２とカバー６の格子部２０と送風機５の吸い込み口１８は、一直線上に配置されている。これにより、吸気口２から、カバー６の格子部２０の多数の孔１７を介して、送風機５の吸い込み口１８へ流れる風路抵抗が低減され、風速が速くなるので、風路の流れと異なる方向に飛散する微細な水も、送風方向へ流れ易くなり、吸気口２から本体ケース３外へ飛散することを抑制できる。
【００２７】
また、カバー６の格子部２０は、回転板１１より上方に位置する。これにより、回転板１１のスリットから横方向に飛散する微細な水の一部は、カバー６における格子部２０より下方のパネル部１９に衝突するので、格子部２０の孔１７から飛散することが抑制される。
【００２８】
また、加湿フィルター１４は、カバー６の格子部２０と送風機５の吸い込み口１８との間に配置されている。これにより、風路３Ａの流れに沿って飛散する微細な水は加湿フィルター１４に吸着され、吹出口１から飛散することが抑制される。
【００２９】
また、格子部２０は、多数の左右方向に延びた横長板部２１と、多数の上下方向に延びた縦板部２２とを備えている。横長板部２１は、パネル部１９側から吸気口２に向かうにつれて下方へ傾斜する構成である。これにより、回転板１１から飛散し、風路の流れと異なる方向に飛散する微細な水はカバー６の格子部２０の横長板部２１に衝突し易くなり、横長板部２１に衝突した微細な水は、貯水容器９へ滴下し、再度回転板１１により飛散することを繰り返す。
【００３０】
また、回転板１１からカバー６の格子部２０を見ると、上下に隣り合った横長板部２１の間の孔１７が見えないものである。これにより、回転板１１から飛散した水が、隣り合った横長板部２１の間の孔１７を通過することを抑制できる。
【００３１】
図５は、本発明の実施の形態の加湿装置の貯水容器の断面図であり、加湿装置の右側から見た図である。
【００３２】
図４、図５に示すように、カバー６下方の吸気口２側には水受け部２３を備え、この水受け部２３は貯水容器９と連通している。これにより、加湿部４より飛散した微細な水が、格子部２０に付着し、重力により格子部２０とパネル部１９を伝ってカバー６の外側へ滴下したとき、この水受け部２３で回収される。結果として、更に加湿部４からの水の飛散を防止できる。
【００３３】
また、吸気口２とカバー６との間には、整流部２４を設けたことを特徴としており、一例としては、空気清浄フィルターである。プリーツ形状の濾材部（図示せず）と、この濾材部（図示せず）を固定する四角筒形状の枠部（図示せず）とから形成している。整流部２４の濾材部の通風抵抗は、加湿フィルター１４の通風抵抗より大きいので、この濾材部を空気が通過すると、空気が整流されるものである。吸気口２から吸い込まれた空気は、整流され、カバー６の多数の孔を有する格子部２０からより均一に送風される。これにより、風路の流れと異なる方向に飛散する微細な水が、格子部２０の多数の孔から吸気口２側へ飛散し難くなり、水の飛散を防止しながらより高品質な加湿器を提供できる。
【産業上の利用可能性】
【００３４】
家庭用や事務用などの加湿器等としての活用が期待されるものである。
【符号の説明】
【００３５】
１    吹出口
２    吸気口
３    本体ケース
３Ａ    風路
４    加湿部
５    送風機
６    カバー
７    風向調整手段
８    グリル
９    貯水容器
１０    タンク部
１１    回転板
１２    モータ部
１３    固定刃
１４    加湿フィルター
１５    ケーシング部
１６    羽根部
１７    孔
１８    吸い込み口
１９    パネル部
２０    格子部
２１    横長板部
２２    縦板部
２３    水受け部
２４    整流部
２５    モータ部
【図１】
2018035959.tif 000003
【図２】
2018035959.tif 000004
【図３】
2018035959.tif 000005
【図４】
2018035959.tif 000006
【図５】
2018035959.tif 000007